(57)【要約】２つの構造要素（１０、１１）の隣接する縁端を継ぎ合わせする継ぎ合わせ構成。継ぎ合わせ構成には突起（１７、１８）を有する継手要素（１２）を含み、突起はそれぞれに各構造要素（１０、１１）の溝（１９、２０）に摺動係合可能とされる。継手要素（１２）は、組み立てられた継ぎ合わせにおいて構造要素（１０、１１）の特殊な形状の縁端部分間に係合する突片手段（２２）を有する。突片（２２）の末端（２４）は、２つの対向して配された横方向突起（２５、２６）を有し、そのそれぞれが隣接する構造要素（１０、１１）の特殊な形状の縁端に形成された溝（２７、２８）に係合する。
2004510921.tif 000002
【特許請求の範囲】
【請求項１】
２つの構造要素（１０、１１）の隣接する縁端どうしの継ぎ合わせ構成であって、その継ぎ合わせ構成には構造要素（１０、１１）に対してリセス、溝等（１９、２０）にそれぞれ係合可能な突起（１７、１８）を有する継手要素（１２）を含み、継手要素（１２）はさらに、構造要素間に組み立てられた継ぎ合わせにおいて構造要素の縁端部分間で係合する突片手段（２２）を有する継ぎ合わせ構成。
【請求項２】
突片手段（２２）に、少なくとも１つの突起（２５、２６）を備えた末端（２４）を含む請求項１に記載の継ぎ合わせ構成。
【請求項３】
末端（２４）が２つの対向して配された突起（２５、２６）を有する請求項２に記載の継ぎ合わせ構成。
【請求項４】
前記突起（２５、２６）が前記構造要素（１０、１１）の隣接面に形成された溝（２７、２８）に係合する請求項２または３に記載の継ぎ合わせ構成。
【請求項５】
前記突片手段（２２）に凹陥部分（２９）を含み、凹陥部分に構造要素（１０）の隣接縁端部分の突出部分（３０）が係合する請求項４に記載の継ぎ合わせ構成。
【請求項６】
前記凹陥部分（２９）が前記突起（２５）に隣接して位置する請求項５に記載の継ぎ合わせ構成。
【請求項７】
前記凹陥部分（２９）に隣接する突片手段（２２）の面（３１）が構造要素（１０）の縁端部分の面（３２）に係合する請求項６に記載の継ぎ合わせ構成。
【請求項８】
突片手段が大突片（２２）および小突片（２３）により形成される請求項６または７に記載の継ぎ合わせ構成。
【請求項９】
継手要素（１２）にスペース（３８）を含み、スペースにリテーナ要素（３５）の突起（３７）が係合可能な請求項６または７に記載の継ぎ合わせ構成。
【請求項１０】
継手要素（１２）を構造要素（１０、１１）の特殊な形状の縁端部分に摺動係合可能とする請求項１から９のいずれか一項に記載の継ぎ合わせ構成。
【請求項１１】
２つの構造要素（１０、１１）の隣接する縁端どうしの継ぎ合わせ構成であって、継ぎ合わせ構成には構造要素（１０、１１）のそれぞれのリセス、溝等（１９、２０）にそれぞれ係合可能な突起（１７、１８）を有する継手要素（１２）を含み、継手要素（１２）はさらに、構造要素間に組み立てられた継ぎ合わせにおいて構造要素の縁端部分間で係合する突片手段（２２）を有する継ぎ合わせ構成。
【請求項１２】
リテーナ部材（３５）の突起（３７）を前記リテーナ部材が前記継手要素（１２）の端に位置するときに受けるスペース（３８）をさらに含む請求項１１に記載の継ぎ合わせ構成。
【請求項１３】
前記特殊な形状の縁端の少なくとも１つに特殊な形状の縁端の突出部分（３０）を含み、前記突出部分（３０）が前記突片（２２）の凹陥部分（２９）に位置する請求項１２に記載の継ぎ合わせ構成。
【請求項１４】
構造要素（１１）の縦溝（２０）に隣接する特殊な形状の縁端（３３）に係合する第２突片（２３）をさらに含む請求項１３に記載の継ぎ合わせ構成。
【請求項１５】
構造要素（１０、１１）の少なくとも１つをパネル形態とする請求項１１から１４のいずれか一項に記載の継ぎ合わせ構成。
【請求項１６】
パネル（１０、１１）がプラスチック材料から形成され、継手要素（１２）を押出成形構造とする請求項１５に記載の継ぎ合わせ構成。
【請求項１７】
継手要素（１２）に構造要素（１０、１１）の面間移行部を形成する外面（１４または１５、１６）を含む前記請求項のいずれか一項に記載の継ぎ合わせ構成。
【請求項１８】
外面を湾曲状（１４）もしくは山形（１５、１６）とする請求項１７に記載の継ぎ合わせ構成。
【請求項１９】
パネルを含み、パネルが請求項１から１８のいずれかに記載のタイプの継ぎ合わせ構成により縁端どうし継ぎ合わされるディスプレイ・ケースであって、少なくとも２つの継手要素（１２）の端が位置するディスプレイ・ケースの各隅に位置するリテーナ要素（３５）により継手要素（１２）が摺動移動に抗して保持されるディスプレイ・ケース。
【請求項２０】
リテーナ要素（３５）の少なくとも１つがその位置する隅に取付可能である請求項１９に記載のディスプレイ・ケース。
【発明の詳細な説明】
【０００１】
（発明の背景）
本発明は、ディスプレイのために使用可能なキャビネット等の解体可能な構造の改良に関し、解体可能な構造において使用する継ぎ合わせ構成に関する。
【０００２】
出願人の国際特許明細書ＷＯ９９／０８５７５において、解体可能なキャビネットを開示した。そのキャビネットの壁は、縁端どうしを継手要素によって継ぎ合わされる。壁どうしがそれぞれ交わる頂点にリテーナがある。リテーナは継手要素の脱落を防止する。リテーナの１つはキャビネットの組立時に最後に取り付けられ、取付可能である。キャビネットを解体するためには、その取付可能なリテーナを他の継手要素やリテーナ要素のどれよりも先に解放する必要がある。
【０００３】
ＷＯ９９／０８５７５によるキャビネットは、特に博物館等の環境において際立った成功を収めている。そのキャビネットの特性の１つは、陳列する物品周囲で組立可能とされる点にある。これは、物品が大きく、組み立てたキャビネットを物品に係合させることが困難な場合に特に有用とされる。物品をキャビネットの１つの側面に置き、次いでキャビネットの残部は側面パネルおよび上面パネルを縁端どうし順次位置決めし、継手要素およびリテーナを挿入することによって物品の周囲に組み立てることができる。
【０００４】
また、ＷＯ９９／０８５７５のキャビネットは組立時に良好な強度特性を発揮する。これは、全体に小さい断面寸法の継手要素で壁を縁端どうし継ぎ合わせする事実にも拘わらず発揮される。
【０００５】
ＷＯ９９／０８５７５の発明によれば、壁の縁端は特殊な形状とされ、継手要素は隣接する特殊な形状の壁縁端で摺動する特殊断面形状を有する（パネルどうしは相互に直角に置かれる）。その結果、継手要素によって特殊な形状の縁端が堅牢かつ安定に結合される。実施結果は良好であったが、出願人がこのたび開発したさらに別の継手要素および縁端の特殊形状においては、継手要素を隣接壁パネルの特殊な形状の縁端で一層摺動しやすくしたことによってパネルの継ぎ合わせの組立が格段に容易になった。また、より強い継ぎ合わせも達成される。
【０００６】
（発明の概要）
広く、本発明の一態様においては、２つの構造要素の隣接する縁端の継ぎ合わせ構成であって、その継ぎ合わせ構成には構造要素のそれぞれに関してリセス、溝等にそれぞれ係合可能な突起を有する継手要素を含み、継手要素はさらに、構造要素間に組み立てられた継ぎ合わせにおいて構造要素の縁端部分で係合する突片手段を有する継ぎ合わせ構成が提供される。
【０００７】
本発明の第２の広い態様によれば、２つの構造要素の隣接する特殊な形状の縁端どうしの継ぎ合わせ構成であって、継ぎ合わせ構成には特殊な形状の縁端のそれぞれに摺動係合した横長の継手要素を含み、継手要素は構造要素に関する表面から内向きに延びる縦溝にそれぞれ係合した一対の縦方向に延びる突起を有し、継手要素にはさらに、構造要素の特殊な形状の縁端の対向する部分の間に位置する突片を含み、その突片は特殊な形状の縁端に対してそれぞれに溝に係合した一対の横方向突起を伴う末端を有する継ぎ合わせ構成が提供される。
【０００８】
（好ましい実施形態の説明）
以下に、本発明格別の実施形態を説明し、例示する。当業者なら、本発明の範囲から逸脱することなく形状および構成において他の変形形態および組合せも実施可能であることを理解するであろう。
【０００９】
ここに、ＷＯ９９／０８５７５の内容を援用する。
【００１０】
本発明の継ぎ合わせ構成が適用される解体可能な構造物として最も簡潔な形式はキャビネットであろう。キャビネットは、ＷＯ９９／０８５７５に開示のように、複数の側壁、底すなわち基部壁、頂部壁を備える。パネル部材の周辺の縁端どうしが横長の継手要素によって継ぎ合わせされ、ＷＯ９９／０８５７５に説明のように、隣接する縁端の対ごとに１つの継手要素がある。本発明は、したがって、特にパネル部材の縁端および継手要素の形式および構造に関する。そのため、本明細書に添付の図面は、構造のそれらの態様に関する。
【００１１】
図１は、パネル１０および１１それぞれの部分の断面を示す。これらのパネルは、図示の構成においては、相互に直角を成す面として位置している。パネル１０および１１は、好ましい形式においては、図示のような縁端形状となるように側部縁端を形成したアクリル・シートにより製造する。
【００１２】
図面では、パネル１０および１１が境界部１３で相互に物理的に接触している様に示してある。この境界部は、図解のために長さを幾分誇張して示してある。この境界部はきわめて小さいか、あるいはまったく存在しない、即ち、境界部１３を形成する対向面どうしが実際には離間し、物理的接触は生じなくてもよい。
【００１３】
図１に示す構成においては、継手要素１２の外面１４は湾曲し、パネル１０の外面からパネル１１の外面への湾曲移行部となっている。しかし、図２に示す構成では、継手要素１２の外面を断面がより角度のあるものとし、第１面１５がパネル１０の外面に平行に延び、第２面１６がパネル１１の外面に平行に延びている。継手要素１２の実際の物理的外観は、複数のファセットもしくはさらに複雑な湾曲形状等、他の外観を形成させてもよい。
【００１４】
一対のリブ１７および１８が内向き（場合により、外面１４または１５と１６に対して）に突出し、各パネルの特殊な形状の縁端２１に形成された対応するリセス、溝、チャネルなど１９、２０に係合する。ＷＯ９９／０８５７５の縁端形成において使用される溝とは対照的に、それらの溝は浅く、したがって特殊な形状の縁端への損傷、破損等が生じる可能性はない。
【００１５】
継手要素１２の内面から内向きに大突片２２と小突片２３が突出している。この２つの別々の突片構成は、継手要素１２の押出成形用チューブ・ダイを必要としないように採用された。しかし、図１の点線を施した細部に示すように、チューブ・ダイを使用して継手要素を押出成形する場合には、大突片と二次的突片２２／２３を連結させることができる。そのような構成では、突片を１つとするのが効果的であろう。
【００１６】
大突片２２は、一対の外向きに形成されたリブ２５および２６を設けた大きくされた末端２４が伸び出している。これらのリブ２５および２６は、パネル１０および１１の各特殊な形状の縁端に形成された対応する形状の溝２７および２８に係合する。
【００１７】
大突片２２にはまた、凹陥２９が設けられ、この凹陥内にパネル１０の特殊な形状の縁端に形成された突起３０が係合する。パネル１１の同様の突起が大突片２２の成形部分に嵌合するが、大小突片２２および２３が合体した場合には、同様にリセスに嵌合する。
【００１８】
図１で分かるように、大突片２２の平坦面３１がパネル１０の縁端の平坦面３２に対向係合する。同様に、小突片２３がパネル１０の縁端の平坦面３３に対向係合する。
【００１９】
継手要素１２は、したがって、図１に示すようにパネル１０および１１の特殊な形状の縁端に差込み固定される。このように本発明によれば、安定かつ堅牢な継ぎ合わせを得るためにパネル１０と１１の各縁端を対面接触させる必要がない。継手要素からの突起を受けるような深い溝を必要としないため、アクリル・パネルの特殊な形状の縁端が損傷もしくは破損することがない。その上、ＷＯ９９／０８５７５で必要とされるようなパネル縁端間の境界部を保証するために要求される高度の正確さはもはや必要としない。
【００２０】
本発明のパネル１０および１１は、境界部として（境界部１３等のように）対面取り付けの必要がないため、パネル１０および１１は、継手要素の形状および構成を適切に調節することにより、図示のような９０度以外の角度でも置くことができる。また、図９に示すように、不等肉厚のパネルどうしをも継ぎ合わせ可能である。これは、パネルの前後面寸法は良好な継ぎ合わせ達成のために最重要としないことの証左である。
【００２１】
本発明によって、継手要素１２を一方のパネルに差込み固定し、次いで他方のパネルを継手要素で摺動させることもできる。その結果、一対のリテーナを対向する隣合わせの隅から取り外した後にパネルの１つをキャビネットの残部に対して摺動させ、それによってキャビネットの開口手段を与えることができる。一般に、リテーナの１つは取付可能なリテーナであろう。そのような構成を図８に示し、これにおいては突片２２および３２がより分厚い。その結果、パネルの縁端が重なり合わず、それによって上述の摺動作用が可能とされる。
【００２２】
図３〜７に、図２に示すより角度のある継手要素と併用するリテーナを示す。ＷＯ９９／０８５７５で開示の継手要素のように、このリテーナ要素の要部３５は、キャビネットの隅に装着し、継手要素の当接端に至る円滑な移行部となるように形状構成される。ＷＯ９９／０８５７５における開示と同様に、シャフト３６が各隅に形成された開口に嵌入するように形成され、突起３７が継手要素１２のスペース３８内に係合するように形成される。シャフト３６には、面取りした面３９を含み、そのため、ＷＯ９９／０８５７５に開示のように外向き突出する放射状突起４０によるシャフトの開口内への挿入が容易になる。
【００２３】
したがって、本発明による継ぎ合わせ構成によって強固な継ぎ合わせが得られ、継ぎ合わせの弱さを招来し得る、もしくは損傷しやすい形態にパネル縁端を形成する必要がなくなる。また、隣接パネルの対面係合を要しないので、より高い精度が達成される。さらにまた、パネルの特殊な形状の縁端に継手要素を差込み固定楔止する方法により継手要素のパネルへの装着が容易になる。また、不等肉厚のパネルも係合可能とされる。
【図面の簡単な説明】
【図１】
継手要素により継ぎ合わせされた一対のパネル要素の断面図である。
【図２】
より角張った継手要素を使用した代替実施形態の同様の図である。
【図３】
図２に示す構成との併用に適したリテーナの斜視図である。
【図４】〜
【図７】
図３に示すリテーナのそれぞれ別の図である。
【図８】
本発明のさらに別の形態を示す図１および図２と同様の図である。
【図９】
断面厚さの異なるパネルもしくは要素どうしを継手要素によって継ぎ合わせする方法を示す図２と同様の図である。
【国際公開パンフレット】
2004510921.tif 000003
2004510921.tif 000004
2004510921.tif 000005
2004510921.tif 000006
2004510921.tif 000007
2004510921.tif 000008
2004510921.tif 000009
2004510921.tif 000010
2004510921.tif 000011
2004510921.tif 000012
2004510921.tif 000013
2004510921.tif 000014
2004510921.tif 000015
2004510921.tif 000016
2004510921.tif 000017
2004510921.tif 000018
2004510921.tif 000019
2004510921.tif 000020
2004510921.tif 000021
2004510921.tif 000022
2004510921.tif 000023
2004510921.tif 000024
【国際調査報告】
2004510921.tif 000025
2004510921.tif 000026
2004510921.tif 000027